(57)【特許請求の範囲】
【請求項１】
ファンと、
第１半殻体と、
上記第１半殻体とシール材を介して重ね合わせることで、上記ファンを収容するファン収容部と、上記ファンからの空気を案内して吹出口から吹き出す吹出部とを形成する第２半殻体と
を備え、
上記第１半殻体は、上記吹出部の一部であって上記吹出口が軸方向の一端部に設けられた筒部と、上記吹出部の他の一部であって上記筒部の軸方向の他端部に連なる半筒部とを有し、
上記筒部の上記第２半殻体側の外周面には、上記シール材の上記筒部側の部分を収容する第１シール材収容部が設けられ、
上記半筒部の上記第２半殻体側の端面には、上記第１シール材収容部に繋がって上記シール材の上記半筒部側の部分を収容する第２シール材収容部が設けられ、
上記第２シール材収容部は、上記筒部側に設けられた傾斜部と、上記筒部とは反対側に設けられた非傾斜部とを有し、
上記傾斜部は、上記非傾斜部を含む平面よりも上記第２半殻体側に位置するように、上記平面に対して傾斜し、
上記第２シール材収容部の上記第１シール材収容部側の部分では、一部は他の部分に比べて幅が狭いことを特徴とする送風ファンユニット。
【請求項２】
ファンと、
第１半殻体と、
上記第１半殻体とシール材を介して重ね合わせることで、上記ファンを収容するファン収容部と、上記ファンからの空気を案内して吹出口から吹き出す吹出部とを形成する第２半殻体と
を備え、
上記第１半殻体は、上記吹出部の一部であって上記吹出口が軸方向の一端部に設けられた筒部と、上記吹出部の他の一部であって上記筒部の軸方向の他端部に連なる半筒部とを有し、
上記筒部の上記第２半殻体側の外周面には、上記シール材の上記筒部側の部分を収容する第１シール材収容部が設けられ、
上記半筒部の上記第２半殻体側の端面には、上記第１シール材収容部に繋がって上記シール材の上記半筒部側の部分を収容する第２シール材収容部が設けられ、
上記第２シール材収容部は、上記筒部側に設けられた傾斜部と、上記筒部とは反対側に設けられた非傾斜部とを有し、
上記傾斜部は、上記非傾斜部を含む平面よりも上記第２半殻体側に位置するように、上記平面に対して傾斜し、
上記第１シール材収容部は、周方向に沿って延びる第１リブと、上記第１リブよりも上記吹出口側に設けられ、周方向に沿って延びる第２リブとを有し、
上記シール材が周方向において上記第１リブと上記第２リブとの間の空間に配置されており、
上記第１シール材収容部に配置された上記シール材は、上記第２半殻体によって上記第１半殻体側に押圧されることを特徴とする送風ファンユニット。
【請求項３】
外箱と、
上記外箱内に配置された水槽と、
上記水槽内に回転可能に配置され、洗濯物を収容する回転槽と、
上記回転槽を回転駆動する駆動装置と、
上記外箱内に配置されたヒートポンプユニットと、
請求項１または２に記載されていると共に、上記ヒートポンプユニットで加熱された空気を上記回転槽内へ送る送風ファンユニットと
を備えることを特徴とする洗濯乾燥機。
【発明の詳細な説明】
【技術分野】
【０００１】
この発明は、送風ファンユニットに関すると共に、その送風ファンユニットを備えた洗濯乾燥機に関する。
【背景技術】
【０００２】
従来、送風ファンユニットとしては、特許第５２３８８７５号公報(特許文献１)に開示されているものがある。この送風ファンユニットは、図１６に示すように、ケーシング１００１と、このケーシング１００１内に配置されたファン１００２とを備える。このファン１００２が回転すると、吸込口１００３からケーシング１００１内に空気が吸い込まれ、吹出口１００４からケーシング１００１外へ吹き出される。
【０００３】
上記ケーシング１００１は、吹出口１００４が設けられた第１半殻体１００５と、吸込口１００３が設けられた第２半殻体１００６で構成されている。この第１半殻体１００５と第２半殻体１００６との間は、図１７に示すシール材１００７でシールされている。
【０００４】
上記第１半殻体１００５は、ファン１００２が配置されるファン配置部１００８と、ファン１００２からの空気が通過する筒部とを有している。このファン配置部１００８は半筒部１０１０を介して筒部１００９に繋がっている。また、筒部１００９の外周面の一部上には、シール材１００７の一部が周方向に沿って配置される。
【０００５】
また、上記半筒部１０１０の筒部１００９側の端部には径方向外側に張り出す張出部１０１１が設けられ、この張出部１０１１の第２半殻体１００６側の端面上にシール材１００７の他の一部が配置されている。より詳しくは、シール材１００７の他の一部は、張出部１０１１の外縁に沿って延在し、筒部１００９の外周面から径方向外側に突出するような形状になっている。これにより、張出部１０１１の筒部１００９側の端部上において、シール材１００７の浮きを防いで、シール性能の向上が図られている。
【先行技術文献】
【特許文献】
【０００６】
【特許文献１】特許第５２３８８７５号公報(図５,図６)
【発明の概要】
【発明が解決しようとする課題】
【０００７】
しかしながら、上記従来の送風ファンユニットでは、シール材１００７の他の一部が筒部１００９の外周面から径方向外側に突出するような形状を有するので、シール材１００７が長くなってしまう。したがって、ケーシング１００１の組立時に長いシール材１００７を扱わなければならならず、その結果、製造作業性が悪いという問題が生じる。
【０００８】
そこで、この発明の課題は、製造作業性が良好な送風ファンユニットおよびそれを備えた洗濯乾燥機を提供することにある。
【０００９】
なお、図１６,図１７は、特許第５２３８８７５号公報の図５,図６を簡略化して示している。
【課題を解決するための手段】
【００１０】
上記課題を解決するため、この発明の送風ファンユニットは、
ファンと、
第１半殻体と、
上記第１半殻体とシール材を介して重ね合わせることで、上記ファンを収容するファン収容部と、上記ファンからの空気を案内して吹出口から吹き出す吹出部とを形成する第２半殻体と
を備え、
上記第１半殻体は、上記吹出部の一部であって上記吹出口が軸方向の一端部に設けられた筒部と、上記吹出部の他の一部であって上記筒部の軸方向の他端部に連なる半筒部とを有し、
上記筒部の上記第２半殻体側の外周面には、上記シール材の上記筒部側の部分を収容する第１シール材収容部が設けられ、
上記半筒部の上記第２半殻体側の端面には、上記第１シール材収容部に繋がって上記シール材の上記半筒部側の部分を収容する第２シール材収容部が設けられ、
上記第２シール材収容部は、上記筒部側に設けられた傾斜部と、上記筒部とは反対側に設けられた非傾斜部とを有し、
上記傾斜部は、上記非傾斜部を含む平面よりも上記第２半殻体側に位置するように、上記平面に対して傾斜し、
上記第２シール材収容部の上記第１シール材収容部側の部分では、一部は他の部分に比べて幅が狭いことを特徴としている。
【００１１】
【００１２】
この発明の送風ファンユニットは、
ファンと、
第１半殻体と、
上記第１半殻体とシール材を介して重ね合わせることで、上記ファンを収容するファン収容部と、上記ファンからの空気を案内して吹出口から吹き出す吹出部とを形成する第２半殻体と
を備え、
上記第１半殻体は、上記吹出部の一部であって上記吹出口が軸方向の一端部に設けられた筒部と、上記吹出部の他の一部であって上記筒部の軸方向の他端部に連なる半筒部とを有し、
上記筒部の上記第２半殻体側の外周面には、上記シール材の上記筒部側の部分を収容する第１シール材収容部が設けられ、
上記半筒部の上記第２半殻体側の端面には、上記第１シール材収容部に繋がって上記シール材の上記半筒部側の部分を収容する第２シール材収容部が設けられ、
上記第２シール材収容部は、上記筒部側に設けられた傾斜部と、上記筒部とは反対側に設けられた非傾斜部とを有し、
上記傾斜部は、上記非傾斜部を含む平面よりも上記第２半殻体側に位置するように、上記平面に対して傾斜し、
上記第１シール材収容部は、周方向に沿って延びる第１リブと、上記第１リブよりも上記吹出口側に設けられ、周方向に沿って延びる第２リブとを有し、
上記シール材が周方向において上記第１リブと上記第２リブとの間の空間に配置されており、
上記第１シール材収容部に配置された上記シール材は、上記第２半殻体によって上記第１半殻体側に押圧される。
【００１３】
この発明の送風ファンユニットは、
第１半殻体と、
上記第１半殻体とシール材を介して重ね合わせることで、上記ファンを収容するファン収容部と、上記ファンからの空気を案内して吹出口から吹き出す吹出部とを形成する第２半殻体と
を備え、
上記第１半殻体は、上記吹出部の一部であって上記吹出口が軸方向の一端部に設けられた筒部と、上記吹出部の他の一部であって上記筒部の軸方向の他端部に連なる半筒部とを有し、
上記筒部の上記第２半殻体側の外周面には、上記シール材の上記筒部側の部分を収容する第１シール材収容部が設けられ、
上記半筒部の上記第２半殻体側の端面には、上記第１シール材収容部に繋がって上記シール材の上記半筒部側の部分を収容する第２シール材収容部が設けられ、
上記第１シール材収容部は、周方向に沿って延びる第１リブと、上記第１リブよりも上記吹出口側に設けられ、周方向に沿って延びる第２リブとを有し、
上記第１,第２シール材収容部は、上記シール材が周方向において上記第１リブと隣り合うように形成されていることを特徴としている。
【００１４】
この発明の洗濯乾燥機は、
外箱と、
上記外箱内に配置された水槽と、
上記水槽内に回転可能に配置され、洗濯物を収容する回転槽と、
上記回転槽を回転駆動する駆動装置と、
上記外箱内に配置されたヒートポンプユニットと、
上記ヒートポンプユニットで加熱された空気を上記回転槽内へ送るこの発明の送風ファンユニットと
を備えることを特徴としている。
【発明の効果】
【００１５】
この送風ファンユニットでは、上記筒部側に設けられた傾斜部は、筒部とは反対側に設けられた非傾斜部を含む平面よりも第２半殻体側に位置するように、その平面に対して傾斜することにより、第１,第２シール材収容部に収容されるシール材を短くすることができる。したがって、上記ケーシングの組立時、シール材の取り扱いが容易になるので、製造作業性を良好にすることができる。
【００１６】
この発明の洗濯乾燥機は、上記送風ファンユニットを備えることによって、製造作業性が良くなるので、製造効率を上げることができる。
【図面の簡単な説明】
【００１７】
【図１】この発明の第１実施形態のドラム式洗濯乾燥機の概略外観斜視図である。
【図２】上記ドラム式洗濯乾燥機の乾燥機能の概略構成を説明するための模式図である。
【図３】上記第１実施形態のヒートポンプユニットの外観斜視図である。
【図４】上記第１実施形態の循環ファンユニットの外観斜視図である。
【図５】上記第１実施形態の循環ファンユニットの第１半殻体の外観斜視図である。
【図６】図４のVI−VI線矢視の断面図である。
【図７】図４のVII−VII線矢視の断面図である。
【図８】図５のVIII−VIII線矢視の断面図である。
【図９】図５のIX−IX線矢視の断面図である。
【図１０】上記第１実施形態の循環ファンユニットの吹出口およびその近傍の拡大図である。
【図１１】この発明の第２実施形態の循環ファンユニットの外観斜視図である。
【図１２】上記第２実施形態の循環ファンユニットのケーシングの第１半殻体の外観斜視図である。
【図１３】上記第２実施形態の循環ファンユニットの下面図である。
【図１４】上記第２実施形態の循環ファンユニットの吹出口およびその近傍の拡大図である。
【図１５】上記第３実施形態の循環ファンユニットの吹出口およびその近傍の拡大図である。
【図１６】従来の送風ファンユニットの概略外観斜視図である。
【図１７】上記従来の送風ファンユニットの概略外観斜視図である。
【発明を実施するための形態】
【００１８】
以下、この発明の洗濯機を図示の実施の形態により詳細に説明する。
【００１９】
〔第１実施形態〕
図１は、この発明の第１実施形態の洗濯乾燥機の一例としてのドラム式洗濯乾燥機の外観の概略を示す。
【００２０】
上記ドラム式洗濯乾燥機は、外郭を成す外箱１を備える。この外箱１は、上面パネル１０１と、操作パネル１０２と、前面パネル１０３と、後面パネル１０４と、一対の側面パネル１０５(一対の側面パネル１０５のうちの一方だけを図示する)と、底台１０６とで構成されている。
【００２１】
上記前面パネル１０３には、洗濯物が通過する開口部１Ａが設けられている。また、前面パネル１０３には扉２１が回動可能に取り付けられており、開口部１Ａは扉２１で開閉される。
【００２２】
上記操作パネル１０２は、開口部１Ａ上に位置するように前面パネル１０３に取り付けられている。すなわち、操作パネル１０２は外箱１の前側上部に位置する。
【００２３】
また、上記操作パネル１０２の側方には、洗剤、漂白剤及び柔軟剤を収容可能な洗濯剤ケース５０が設けられている。
【００２４】
図２は、上記ドラム式洗濯乾燥機の乾燥機能の概略構成を模式的に示す。
【００２５】
上記ドラム式洗濯乾燥機は、外箱１内に配置された水槽２と、この水槽２内に回転可能に配置されて、洗濯物５を収容するドラム３と、このドラム３を回転駆動するモータ４と、このモータ４などを制御する制御装置６０とを備えている。このドラム３の回転軸Ｊは、前側が後側よりも高くなるように、水平方向に対して傾斜している。また、水槽２およびドラム３は、それぞれ、扉２１側に向かって開口しており、扉２１を開くことで、ドラム３内に洗濯物を入れたり、ドラム３内から洗濯物を出したりすることが可能である。また、扉２１を閉じることで、水槽２内の気体および液体が前面パネル１０３の開口部１Ａを介して外箱１に漏れ出ないようになる。すなわち、扉２１の閉鎖により、水槽２の水密および気密を保つことが可能である。なお、回転軸Ｊは、水平方向に対して略平行であってもよい。また、ドラム３は回転槽の一例である。また、モータ４は駆動装置の一例である。
【００２６】
また、上記水槽２の上方には、外箱１の上部を形成する上面パネル１０１が配置されている。また、水槽２の前方には、外箱１の前部の大部分を形成する前面パネル１０３が配置されている。
【００２７】
また、上記外箱１内の上側空間の後部には、フィルタ装置３０を着脱可能に収納するフィルタ装置収納部４０が配置されている。このフィルタ装置収納部４０の吸気口４０Ａは、第１空気循環ダクト２３を介して水槽２の排気口２２に接続されている。また、フィルタ装置収納部４０の排気口４０Ｂは、第２空気循環ダクト２４を介してヒートポンプユニット１３に接続されている。このヒートポンプユニット１３は、外箱１内の下側空間の後部に配置されている。また、ヒートポンプユニット１３は、送風ダクト２６を介して水槽２の吸気口２５に接続されている。この送風ダクト２６のヒートポンプユニット１３側の部分には、送風ファンユニットの一例としての循環ファンユニット１１が設けられている。
【００２８】
また、上記ドラム３の周壁部３Ａには、水槽２とドラム３の間の空間と、ドラム３内の空間との間で、液体および気体の流通を可能にするための複数の貫通孔(図示せず)が形成されている。また、ドラム３の底部３Ｂには水槽２の吸気口２５に連通する複数の空気導入孔(図示せず)が形成されている。これにより、ヒートポンプユニット１３から送風ダクト２６を経て供給される乾燥した加熱空気は、矢印Ｙで示すように、吸気口２５からドラム３内に導入される。
【００２９】
また、上記加熱空気はドラム３内に収容された洗濯物５から水分を奪って吸湿空気となる。この吸湿空気は、矢印Ｚで示すように、ドラム３の周壁部３Ａの貫通孔から、ドラム３と水槽２の間の空間に抜けた後、水槽２の排気口２２から第１空気循環ダクト２３を介してフィルタ装置収納部４０に排気され、このフィルタ装置収納部４０から第２空気循環ダクト２４を通ってヒートポンプユニット１３に導入される。このとき、フィルタ装置３０が吸湿空気に含まれる糸くず等を捕獲する。すなわち、上記吸湿空気から糸くず等が分離されてフィルタ装置３０に残る。
【００３０】
上記ヒートポンプユニット１３は、蒸発器１０、圧縮機７、凝縮器８および膨張機構(例えば膨張弁)９を有する。この蒸発器１０、圧縮機７、凝縮器８、膨張機構９および冷媒配管１４が冷媒回路を構成し、圧縮機７で圧縮された冷媒が凝縮器８、膨張機構９および蒸発器１０をこの順で流れる。また、圧縮機７と凝縮器８の間の冷媒配管１４には、ヒートポンプユニット１３の状態を検知するための温度センサ１６が取り付けられている。
【００３１】
上記制御装置６０は、制御用コンピュータ等で構成されており、温度センサ１６で測定された冷媒温度に応じて、圧縮機７の能力を制御する。また、制御装置６０は、必要に応じて膨張機構９の制御を行う。
【００３２】
図３は上記ヒートポンプユニット１３の外観を示す。
【００３３】
上記ヒートポンプユニット１３はケーシング７０を備え、蒸発器１０、圧縮機７、凝縮器８および膨張機構９がケーシング７０内に配置されている。このケーシング７０の上流側の部分には、第２空気循環ダクト２４の下流側の端部に接続される第１接続口７１が設けられている。一方、ケーシング７０の下流側の部分には、第２接続口(図示せず)が設けられている。ヒートポンプユニット１３で生成された乾燥した加熱空気は、上記第２接続口からヒートポンプユニット１３外に出て循環ファンユニット１１内に吸い込まれる。
【００３４】
図４は、上記循環ファンユニット１１をモータ１１３側から見た斜視図を示す。
【００３５】
上記循環ファンユニット１１は、ケーシング１１１と、このケーシング１１１内に配置された遠心ファン１１２と、この遠心ファン１１２を回転駆動するモータ１１３とを備える。なお、遠心ファン１１２はファンの一例である。
【００３６】
上記ケーシング１１１は、遠心ファン１１２を収容する遠心ファン収容部１２１と、この遠心ファン１１２からの空気を案内して吹出口１１４から吹き出す吹出部１２２とを備える。この吹出部１２２は吹出口１１４側で少し折れ曲がっている。より詳しくは、ケーシング１１１は、第１半殻体１３１と、この第１半殻体１３１と環状のシール材１１０(図５,図７〜図９に示す)を介して重ね合わせることで遠心ファン収容部１２１および吹出部１２２を形成する第２半殻体１３２とを備える。この第１半殻体１３１の上流側の部分と、第２半殻体１３２の上流側の部分とによって、遠心ファン収容部１２１が構成される。また、第１半殻体１３１の下流側の部分と、第２半殻体１３２の下流側の部分とによって、吹出部１２２が構成される。
【００３７】
図５は、上記第１半殻体１３１を第２半殻体１３２側から見た外観を示す。
【００３８】
上記第１半殻体１３１は、吹出部１２２の一部を形成する筒部１３３を下流側に有する一方、吹出部１２２の他の一部を形成する半筒部１３４を上流側に有する。この筒部１３３の軸方向の一端部には吹出口１１４が設けられている。また、筒部１３３の軸方向の他端部には半筒部１３４の軸方向の一端部が連なっている。また、半筒部１３４の軸方向の他端部は、遠心ファン収容部１２１を構成するための遠心ファン配置部１３５に連なっている。この遠心ファン配置部１３５は筒部１３３および半筒部１３４と一体に形成される。
【００３９】
上記遠心ファン配置部１３５の中央部には吸込口１１５が設けられている。この吸込口１１５は、ヒートポンプユニット１３のケーシング７０の上記第２接続口に接続される。このとき、吸込口１１５と上記第２接続口との間は、シール材(図示せず)でシールされる。これにより、吸込口１１５と上記第２接続口との間から空気が漏れ出ないようにしている。
【００４０】
上記筒部１３３の第２半殻体１３２側の外周面には、シール材１１０の筒部１３３側の部分を収容する第１シール材収容部１４１が設けられている。この第１シール材収容部１４１は、周方向に沿って延びる円弧形状の第１リブ１５１と、第１リブ１５１よりも吹出口１１４側に設けられ、周方向に沿って延びる環状の第２リブ１５２とを有する。すなわち、筒部１３３の外周面において、第１,第２リブ１５１,１５２が互いに軸方向に間隔を空けて配置されている。この第１リブ１５１と、第２リブ１５２において第１リブ１５１と対向する部分との間の空間に、シール材１１０の筒部１３３側の部分が配置される。このシール材１１０の筒部１３３側の部分は、第２半殻体１３２の端面によって第１半殻体１３１側に押圧される。これにより、筒部１３３の外周面と第２半殻体１３２の端面との間から吹出部１２２内の空気が漏れ出ないようにしている。なお、筒部１３３の内径は、例えば、６０ｍｍ〜９０ｍｍの範囲内に設定される。また、筒部１３３において軸方向に延在する部分の厚さは、例えば、２ｍｍ〜３ｍｍの範囲内に設定される。
【００４１】
上記半筒部１３４の第２半殻体１３２側の各端面には、第１シール材収容部１４１に繋がってシール材１１０の半筒部１３４側の部分を収容する第２シール材収容部１４２が設けられている。この第２シール材収容部１４２は、吹出部１２２内の空気が流れる方向に沿って延びる第１壁部１６１と、この第１壁部１６１との間に所定の間隔が生じるように第１壁部１６１よりも径方向外側設けられ、その方向に沿って延びる第２壁部１６２とを有する。この第１壁部１６１の吹出口１１４側の端部は、第１シール材収容部１４１の第１リブ１５１の周方向の端部に繋がっている。一方、第２壁部１６２の吹出口１１４側の端部は、第１シール材収容部１４１の第２リブ１５２の一部(第１リブ１５１の周方向の端部近傍に位置する部分)に繋がっている。また、第１壁部１６１と第２壁部１６２の間の空間は、第１リブ１５１と第２リブ１５２の間の空間と連通している。このような第１壁部１６１と第２壁部１６２の間に、シール材１１０の半筒部１３４側の部分が配置される。このシール材１１０の半筒部１３４側の部分は、第２半殻体１３２の端面によって第１半殻体１３１側に押圧される。これにより、半筒部１３４の端面と第２半殻体１３２の端面との間から吹出部１２２内の空気が漏れ出ないようにしている。
【００４２】
上記遠心ファン配置部１３５の第２半殻体１３２側の端面には第３シール材収容部１４３が設けられている。この第３シール材収容部１４３は、第２シール材収容部１４２に繋がると共に、シール材１１０の遠心ファン配置部１３５側の部分を収容する。また、第３シール材収容部１４３は、遠心ファン１１２の外周縁に沿って延びる第１壁部１７１と、この第１壁部１７１との間に所定の間隔が生じるように第１壁部１７１よりも径方向外側設けられ、遠心ファン１１２の外周縁に沿って延びる第２壁部１７２とを有する。この第１,第２壁部１７１,１７２の吹出口１１４側の端部は、第２シール材収容部１４２の第１,第２壁部１６１,１６２の吸込口１１５側の端部に繋がっている。また、第１壁部１７１と第２壁部１７２の間の空間は、第１壁部１６１と第２壁部１６２の間の空間と連通している。このような第１壁部１６１と第２壁部１６２の間の空間に、シール材１１０の遠心ファン配置部１３５側の部分が配置される。このシール材１１０の遠心ファン配置部１３５側の部分は、第２半殻体１３２の端面によって第１半殻体１３１側に押圧される。これにより、遠心ファン配置部１３５の端面と第２半殻体１３２の端面との間から遠心ファン配置部１３５内の空気が漏れ出ないようにしている。
【００４３】
図６は、図４のVI−VI線から見た断面図である。また、図７は、図４のVII−VII線から見た断面図である。また、図８は、図５のVIII−VIII線から見た断面図である。また、図９は、図５のIX−IX線から見た断面図である。なお、図６ではモータ１１３の図示を省略している。
【００４４】
上記第２シール材収容部１４２は、図６〜図９に示すように、筒部１３３側に設けられた傾斜部１８１と、筒部１３３とは反対側つまり遠心ファン配置部１３５側に設けられた非傾斜部１８２とを有する。この傾斜部１８１は、非傾斜部１８２を含む平面よりも第２半殻体１３２側に位置するように、その平面に対して傾斜する。別の言い方をすれば、傾斜部１８１は、遠心ファン配置部１３５側に比べて筒部１３３側の方が上記平面から離れるように形成されている。より詳しくは、傾斜部１８１は、上記平面に対して例えば１０度〜４０度の範囲内の角度を成すように傾斜している。これにより、第１シール材収容部１４１の周方向の端は、上記平面よりも第２半殻体１３２側に位置する。これにより、第１シール材収容部１４１の周方向の長さは、筒部１３３の外周の長さよりも短くなっている。なお、上記平面は筒部１３３の中心軸も含んでいる。
【００４５】
また、上記第２半殻体１３２も、吹出部１２２を構成するための半筒部１３６と、遠心ファン収容部１２１を構成するための遠心ファン配置部１３７とを有している。
【００４６】
図１０は吹出口１１４およびその近傍を拡大して示す。
【００４７】
上記第２シール材収容部１４２の第１シール材収容部１４１側の部分では、一部は他の部分に比べて幅が狭くなっている。すなわち、第２壁部１６２の筒部１３３側の端部には、径方向内側に突出する凸部１９１が設けられている。
【００４８】
上記構成のドラム式洗濯乾燥機では、第２シール材収容部１４２の傾斜部１８１は、非傾斜部１８２を含む平面よりも第２半殻体１３２側に位置するように、その平面に対して傾斜している。これにより、上記第１,第２シール材収容部１４１,１４２に収容されるシール材１１０の部分を従来(特許第５２３８８７５号公報)に比べて短くすることができる。より具体的に言うと、傾斜部１８１に沿って配置するシール材１１０の部分と、筒部１３３の外周面に沿って配置するシール材１１０の部分の長さとを、上記従来に比べて短くすることができる。したがって、ケーシング１１１の組立時、シール材１１０の取り扱いが容易になるので、製造作業性を良好にすることができる。
【００４９】
また、上記第２シール材収容部１４２の筒部１３３側の端部に傾斜部１８１を設けることにより、シール部材１１０の筒部１３３側の部分を直角以下の角度で屈曲させずに筒部１３３の外周面に沿って配置することができる。したがって、シール部材１１０の筒部１３３側の部分が第１シール材収容部１４１の底面に密着し易くなるので、筒部１３３側のシール性能を上げることができる。
【００５０】
また、上記第２壁部１６２の筒部１３３側の端部における凸部１９１により、第１壁部１６１と第２壁部１６２との間隔を第１シール材収容部１４１近傍の一部で狭くすることができる。したがって、シール材１１０の第１シール材収容部１４１近傍の部分を凸部１９１で第２壁部１６２に強く押し付けることができるので、その部分の浮きを防ぐことができる。
【００５１】
また、上記ドラム式洗濯乾燥機は送風ファンユニット１１を備えることにより、製造作業性が良くなるので、製造効率を上げることができる。
【００５２】
上記第１実施形態において、半筒部１３６において非傾斜部１８２が設けられた部分は、軸方向に垂直な面で切った断面が、１／２円弧または略１／２円弧を示す形状に示すように形成するのが好ましい。すなわち、上記断面の形状が１／２円弧形状に限定されない。
【００５３】
上記第１実施形態では、第１シール材収容部１４１は、第１,第２リブ１５１,１５２を有していたが、第１,第２リブ１５１,１５２のうちの第２リブ１５２だけを有するようにしてもよい。
【００５４】
上記第１実施形態では、第２シール材収容部１４２は、第１,第２壁部１６１,１６２を有していたが、第１,第２壁部１６１,１６２のうちの第２壁部１６２だけを有するようにしてもよい。
【００５５】
上記第１実施形態では、第３シール材収容部１４３は、第１,第２壁部１７１,１７２を有していたが、第１,第２壁部１７１,１７２のうちの第２壁部１７２だけを有するようにしてもよい。
【００５６】
〔第２実施形態〕
図１１は、この発明の送風ファンユニットの第２実施形態の循環ファンユニット２１１をモータ１１３側から見た斜視図を示す。また、図１２は、循環ファンユニット２１１のケーシング２１１の第１半殻体２３１を第２半殻体２３２側から見た斜視図を示す。なお、図１１,図１２では、図４,図５の構成部と同一構成部は、図４,図５の構成部の参照番号と同一参照番号を付している。また、以下の説明では、上記第１実施形態の構成部と同一部構成部には、上記第１実施形態の構成部と同一参照場号を付している。
【００５７】
上記循環ファンユニット２１１は、図１１,図１２に示すように、ケーシング２１１を備える。このケーシング２１１には、遠心ファン１１２を収容する遠心ファン収容部２２１と、この遠心ファン１１２からの空気を案内して吹出口１１４から吹き出す吹出部２２２とを備える。この吹出部２２２は吹出口１１４側で少し折れ曲がっている。より詳しくは、ケーシング２１１は、第１半殻体２３１と、この第１半殻体２３１と環状のシール材２１０を介して重ね合わせることで遠心ファン収容部２２１および吹出部２２２を形成する第２半殻体２３２とを備える。この第１半殻体２３１の上流側の部分と、第２半殻体２３２の上流側の部分とによって、遠心ファン収容部１２１が構成される。また、第１半殻体２３１の下流側の部分と、第２半殻体２３２の下流側の部分とによって、吹出部２２２が構成される。
【００５８】
上記第１半殻体２３１は、吹出部２２２の一部を形成する筒部２３３を下流側に有する一方、吹出部２２２の他の一部を形成する半筒部２３４を上流側に有する。この筒部２３３の軸方向の一端部には吹出口１１４が設けられている。また、筒部２３３の軸方向の他端部には半筒部２３４の軸方向の一端部が連なっている。また、半筒部２３４の軸方向の他端部は、遠心ファン収容部１２１を構成するための遠心ファン配置部２３５に連なっている。この遠心ファン配置部２３５は筒部２３３および半筒部２３４と一体に形成される。
【００５９】
上記遠心ファン配置部２３５の中央部には吸込口１１５が設けられている。この吸込口１１５は、ケーシング７０の下流側の部分に設けられた第２接続口に接続される。このとき、吸込口１１５と上記第２接続口との間は、シール材(図示せず)でシールされる。これにより、吸込口１１５と上記第２接続口との間から空気が漏れ出ないようにしている。
【００６０】
上記筒部２３３の第２半殻体２３２側の外周面には、シール材２１０の筒部２３３側の部分を収容する第１シール材収容部２４１が設けられている。この第１シール材収容部２４１は、周方向に沿って延びる円弧形状の第１リブ２５１と、第１リブ２５１よりも吹出口１１４側に設けられ、周方向に沿って延びる環状の第２リブ１５２とを有する。すなわち、筒部２３３の外周面において、第１,第２リブ２５１,１５２が互いに軸方向に間隔を空けて配置されている。この第１リブ２５１と、第２リブ１５２において第１リブ２５１と対向する部分との間の空間に、シール材２１０の筒部２３３側の部分が配置される。このシール材２１０の筒部２３３側の部分は、第２半殻体２３２の端面によって第１半殻体２３１側に押圧される。これにより、筒部２３３の外周面と第２半殻体２３２の端面との間から吹出部２２２内の空気が漏れ出ないようにしている。なお、筒部２３３の内径は、例えば、６０ｍｍ〜９０ｍｍの範囲内に設定される。また、筒部２３３において軸方向に延在する部分の厚さは、例えば、２ｍｍ〜３ｍｍの範囲内に設定される。
【００６１】
上記半筒部２３４の第２半殻体２３２側の各端面には、第１シール材収容部２４１に繋がってシール材２１０の半筒部２３４側の部分を収容する第２シール材収容部２４２が設けられている。この第２シール材収容部２４２は、吹出部２２２内の空気が流れる方向に沿って延びる第１壁部２６１と、この第１壁部２６１との間に所定の間隔が生じるように第１壁部２６１よりも径方向外側設けられ、上記方向に沿って延びる第２壁部２６２とを有する。この第１壁部２６１の吹出口１１４側の端部は、第１シール材収容部２４１の第１リブ２５１の周方向の端部に繋がっている。一方、第２壁部２６２の吹出口１１４側の端部は、第１シール材収容部２４１の第２リブ１５２の一部(第１リブ２５１の周方向の端部近傍に位置する部分)に繋がっている。また、第１壁部２６１と第２壁部２６２の間の空間は、第１リブ２５１と第２リブ１５２の間の空間と連通している。このような第１壁部２６１と第２壁部２６２の間に、シール材２１０の半筒部２３４側の部分が配置される。このシール材２１０の半筒部２３４側の部分は、第２半殻体２３２の端面によって第１半殻体２３１側に押圧される。これにより、半筒部２３４の端面と第２半殻体２３２の端面との間から吹出部２２２内の空気が漏れ出ないようにしている。
【００６２】
上記遠心ファン配置部２３５の第２半殻体２３２側の端面には第３シール材収容部２４３が設けられている。この第３シール材収容部２４３は、第２シール材収容部２４２に繋がると共に、シール材２１０の遠心ファン配置部２３５側の部分を収容する。また、第３シール材収容部２４３は、遠心ファン１１２の外周縁に沿って延びる第１壁部２７１と、この第１壁部２７１との間に所定の間隔が生じるように第１壁部２７１よりも径方向外側設けられ、遠心ファン１１２の外周縁に沿って延びる第２壁部２７２とを有する。この第１,第２壁部２７１,２７２の吹出口１１４側の端部は、第２シール材収容部２４２の第１,第２壁部２６１,２６２の吸込口１１５側の端部に繋がっている。また、第１壁部２７１と第２壁部２７２の間の空間は、第１壁部２６１と第２壁部２６２の間の空間と連通している。このような第１壁部２６１と第２壁部２６２の間の空間に、シール材２１０の遠心ファン配置部２３５側の部分が配置される。このシール材２１０の遠心ファン配置部２３５側の部分は、第２半殻体２３２の端面によって第１半殻体２３１側に押圧される。これにより、遠心ファン配置部２３５の端面と第２半殻体２３２の端面との間から遠心ファン配置部２３５内の空気が漏れ出ないようにしている。
【００６３】
図１３は、上記循環ファンユニット２１１を下方から見た図を示す。また、図１４は、吹出口１１４およびその近傍を拡大して示す。
【００６４】
上記第２シール材収容部２４２は、図１３,図１４に示すように、筒部２３３側に設けられた傾斜部２８１と、筒部２３３とは反対側つまり遠心ファン配置部２３５側に設けられた非傾斜部２８２とを有する。この傾斜部２８１は、非傾斜部２８２を含む平面よりも第２半殻体２３２側に位置するように、その平面に対して傾斜する。別の言い方をすれば、傾斜部２８１は、遠心ファン配置部２３５側に比べて筒部２３３側の方が上記平面から離れるように形成されている。より詳しくは、傾斜部２８１は、上記平面に対して例えば１０度〜４０度の範囲内の角度を成すように傾斜している。これにより、第１シール材収容部２４１の周方向の端は、上記平面よりも第２半殻体２３２側に位置する。これにより、第１シール材収容部１４１の周方向の長さは、筒部１３３の外周の長さよりも短くなっている。なお、上記平面は筒部２３３の中心軸も含んでいる。
【００６５】
また、上記シール材２１０が周方向において第１リブ２５１と隣り合うように、第１,第２シール材収容部２４１,２４２が形成されている。すなわち、第１リブ２５１の周方向の端部近傍において、シール材２１０が第１リブ２５１よりも径方向外側に突出しないようになっている。
【００６６】
また、図１１に示すように、上記第２半殻体２３２も、吹出部２２２を構成するための半筒部２３６と、遠心ファン収容部１２１を構成するための遠心ファン配置部２３７とを有している。
【００６７】
上記構成のドラム式洗濯乾燥機では、上記第１実施形態と同様の作用効果を奏する。また、シール材２１０の筒部２３３側の部分を第１シール材収容部２４１に収容すると共に、シール材２１０の半筒部２３４側の部分を第２シール材収容部２４２に収容したとき、シール材２１０が第１リブ２５１よりも径方向に突出しない。したがって、第１リブ２５１よりも径方向に突出するように配置されるシール材に比べて、シール材２１０を短くすることができる。
【００６８】
また、上記第１半殻体２３１に第２半殻体２３２を重ね合わせる前、シール材２１０の筒部２３３側の部分が第１シール材収容部２４１から外れるのを、第１リブ２５１の周方向の端部で防ぐことができる。その結果、第１半殻体２３１に第２半殻体２３２を重ね合わせる作業が容易になる。
【００６９】
〔第３実施形態〕
上記第２実施形態では、半筒部２３４の第２半殻体２３２側の端面に、第１シール材収容部２４１に繋がってシール材２１０の半筒部２３４側の部分を収容する第２シール材収容部２４２を設けていたが、この発明の第３実施形態では、図１５に示すように、半筒部３３４の第２半殻体２３２側の端面に、第１シール材収容部３４１に繋がって環状のシール材３１０の半筒部３３４側の部分を収容する第２シール材収容部３４２を設けている。
【００７０】
上記第２シール材収容部３４２は、傾斜部２８１を有しない点が上記第２実施形態と異なる。別の言い方をすれば、第２シール材収容部３４２は、非傾斜部３８２を含む平面よりも第２半殻体側に位置する部分を有していない。この平面は筒部３３３の中心軸も含んでいる。
【００７１】
また、上記第１,第２シール材収容部３４１,３４２は、シール材３１０が周方向において第１リブ３５１と隣り合うように形成されている。すなわち、第１リブ３５１の周方向の端部近傍において、シール材３１０が第１リブ３５１よりも径方向外側に突出しないようになっている。
【００７２】
このような第１,第２シール材収容部３４１,３４２であっても、シール材３１０を短くすることができる。
【００７３】
〔第４実施形態〕
上記第１〜第３実施形態では、吹出部１２２,２２２が吹出口１１４側で少し折れ曲がっていたが、この発明の第４実施形態では、吹出部が吹出口１１４側で折れ曲がっていない。すなわち、上記吹出部は一直線上に延びている。
【００７４】
〔第５実施形態〕
上記第１〜第３実施形態では、環状のシール材１１０,２１０,３１０を１つ用いていたが、この発明の第５実施形態では、環状のシール材１１０を１つ用いる換わりに、線状のシール材を複数用いている。
【００７５】
上記第１〜第５実施形態では、ドラム式洗濯乾燥機にこの発明を適用していたが、いわゆる縦型洗濯機にこの発明を適用してもよい。
【００７６】
また、上記第２〜第５実施形態において、第１実施形態で記載したような変形を行ってもよい。
【００７７】
また、この発明の送風ファンユニットは、遠心ファン以外の他のファン(例えば軸流ファン)を備えてもよい。
【００７８】
この発明の具体的な実施形態について説明したが、この発明は第１〜第５実施形態に限定されるものではなく、この発明の範囲内で種々変更して実施することができる。例えば、第１〜第５実施形態で記載した内容を適宜組み合わせたものをこの発明の一実施形態としてもよい。
【００７９】
すなわち、この発明および実施形態を纏めると、次のようになる。
【００８０】
この発明の送風ファンユニット１１,２１１は、
ファン１１２と、
第１半殻体１３１,２３１と、
上記第１半殻体１３１,２３１とシール材１１０,２１０を介して重ね合わせることで、上記ファン１１２を収容するファン収容部１２１と、上記ファン１１２からの空気を案内して吹出口１１４から吹き出す吹出部１２２,２２２とを形成する第２半殻体１３２,２３２と
を備え、
上記第１半殻体１３１,２３１は、上記吹出部１２２,２２２の一部であって上記吹出口１１４が軸方向の一端部に設けられた筒部１３３,２３３と、上記吹出部１２２,２２２の他の一部であって上記筒部１３３,２３３の軸方向の他端部に連なる半筒部１３４,２３４とを有し、
上記筒部１３３,２３３の上記第２半殻体１３２,２３２側の外周面には、上記シール材１１０,２１０の上記筒部１３３,２３３側の部分を収容する第１シール材収容部１４１,２４１が設けられ、
上記半筒部１３４,２３４の上記第２半殻体１３２,２３２側の端面には、上記第１シール材収容部１４１,２４１に繋がって上記シール材１１０,２１０の上記半筒部１３４,２３４側の部分を収容する第２シール材収容部１４２,２４２が設けられ、
上記第２シール材収容部１４２,２４２は、上記筒部１３３,２３３側に設けられた傾斜部１８１,２８１と、上記筒部１３３,２３３とは反対側に設けられた非傾斜部１８２,２８２とを有し、
上記傾斜部１８１,２８１は、上記非傾斜部１８２,２８２を含む平面よりも上記第２半殻体１３２,２３２側に位置するように、上記平面に対して傾斜することを特徴としている。
【００８１】
上記構成によれば、上記第２シール材収容部１４２,２４２は、筒部１３３,２３３側に設けられた傾斜部１８１,２８１と、筒部１３３,２３３とは反対側に設けられた非傾斜部１８２,２８２とを有する。この傾斜部１８１,２８１は、非傾斜部１８２,２８２を含む平面よりも第２半殻体１３２,２３２側に位置するように、その平面に対して傾斜している。これにより、上記第１,第２シール材収容部１４２,２４２に収容されるシール材１１０,２１０の部分を従来(特許第５２３８８７５号公報)に比べて短くすることができる。したがって、上記第１半殻体１３１,２３１にシール材１１０,２１０を介して第２半殻体１３２,２３２を重ね合わせるとき、シール材１１０,２１０の取り扱いが容易になるので、製造作業性を良好にすることができる。
【００８２】
一実施形態の送風ファンユニット１１では、
上記第２シール材収容部１４２の上記第１シール材収容部１４１側の部分では、一部は他の部分に比べて幅が狭い。
【００８３】
上記実施形態によれば、上記第２シール材収容部１４２の第１シール材収容部１４１側の部分の一部により、シール材１１０の半筒部１３４側の部分を挟持することで、その部分の浮きを防ぐことができる。
【００８４】
一実施形態の送風ファンユニット２１１では、
上記第１シール材収容部２４１は、周方向に沿って延びる第１リブ２５１と、上記第１リブ２５１よりも上記吹出口１１４側に設けられ、周方向に沿って延びる第２リブ１５２とを有し、
上記第１,第２シール材収容部２４１,２４２は、上記シール材２１０が周方向において上記第１リブ２５１と隣り合うように形成されている。
【００８５】
上記実施形態によれば、上記シール材２１０の筒部２３３側の部分を第１シール材収容部２４１に収容すると共に、シール材２１０の半筒部２３４側の部分を第２シール材収容部２４２に収容したとき、シール材２１０が第１リブ２５１よりも径方向に突出するように配置されない。したがって、第１リブ２５１よりも径方向に突出するように配置されるシール材に比べて、シール材２１０を短くすることができる。
【００８６】
この発明の送風ファンユニットは、
ファン１１２と、
第１半殻体と、
上記第１半殻体とシール材３１０を介して重ね合わせることで、上記ファン１１２を収容するファン収容部と、上記ファン１１２からの空気を案内して吹出口１１４から吹き出す吹出部とを形成する第２半殻体と
を備え、
上記第１半殻体は、上記吹出部の一部であって上記吹出口１１４が軸方向の一端部に設けられた筒部３３３と、上記吹出部の他の一部であって上記筒部３３３の軸方向の他端部に連なる半筒部３３４とを有し、
上記筒部３３３の上記第２半殻体側の外周面には、上記シール材の上記筒部３３３側の部分を収容する第１シール材収容部３４１が設けられ、
上記半筒部３３４の上記第２半殻体側の端面には、上記第１シール材収容部３４１に繋がって上記シール材３１０の上記半筒部３３４側の部分を収容する第２シール材収容部３４２が設けられ、
上記第１シール材収容部３４１は、周方向に沿って延びる第１リブ３５１と、上記第１リブ３５１よりも上記吹出口１１４側に設けられ、周方向に沿って延びる第２リブ１５２とを有し、
上記第１,第２シール材収容部３４１,３４２は、上記シール材３１０が周方向において上記第１リブ３５１と隣り合うように形成されていることを特徴としている。
【００８７】
上記構成によれば、上記シール材３１０の筒部３３３側の部分を第１シール材収容部３４１に収容すると共に、シール材３１０の半筒部３３４側の部分を第２シール材収容部３４２に収容したとき、シール材３１０が第１リブ３５１よりも径方向に突出するように配置されない。したがって、第１リブ２５１よりも径方向に突出するように配置されるシール材に比べて、シール材３１０を短くすることができる。したがって、上記第１半殻体にシール材３１０を介して第２半殻体を重ね合わせるとき、シール材３１０の取り扱いが容易になるので、製造作業性を良好にすることができる。
【００８８】
この発明の洗濯乾燥機は、
外箱１と、
上記外箱１内に配置された水槽２と、
上記水槽２内に回転可能に配置され、洗濯物を収容する回転槽３と、
上記回転槽３を回転駆動する駆動装置１１３と、
上記外箱１内に配置されたヒートポンプユニット１３と、
上記ヒートポンプユニット１３で加熱された空気を上記回転槽３内へ送るこの発明または一実施形態の送風ファンユニット１１,２１１と
を備えることを特徴としている。
【００８９】
上記構成によれば、上記送風ファンユニット１１,２１１を備えることにより、製造作業性が良くなるので、製造効率を上げることができる。
【符号の説明】
【００９０】
１  外箱
２  水槽
３  ドラム
７  圧縮機
８  凝縮器
９  膨張機構
１０  蒸発器
１１,２１１  循環ファンユニット
１３  ヒートポンプユニット
７０  ケーシング
１１０,２１０  シール材
１１２  遠心ファン
１１４  吹出口
１２１  遠心ファン収容部
１２２,２２２  吹出部
１３１,２３１  第１半殻体
１３５,２３５  遠心ファン配置部
１３２,２３２  第２半殻体
１３３,２３３,３３３  筒部
１３４,２３４,３３４  半筒部
１４１,２４１,３４１  第１シール材収容部
１４２,２４２,３４２  第２シール材収容部
１５１,２５１,３５１  第１リブ
１５２,２５２  第２リブ
１８１,２８１  傾斜部
１８２,２８２,３８２  非傾斜部
【図１】
0006484437.tif 000002
【図２】
0006484437.tif 000003
【図３】
0006484437.tif 000004
【図４】
0006484437.tif 000005
【図５】
0006484437.tif 000006
【図６】
0006484437.tif 000007
【図７】
0006484437.tif 000008
【図８】
0006484437.tif 000009
【図９】
0006484437.tif 000010
【図１０】
0006484437.tif 000011
【図１１】
0006484437.tif 000012
【図１２】
0006484437.tif 000013
【図１３】
0006484437.tif 000014
【図１４】
0006484437.tif 000015
【図１５】
0006484437.tif 000016
【図１６】
0006484437.tif 000017
【図１７】
0006484437.tif 000018